(57)【要約】【課題】壁面に設置するコストの低減、及び防犯性を向上させることができ、また紙幣のジャムが発生した場合、そのジャムを容易に除去することができる現金自動取引装置を提供する。【解決手段】現金自動取引装置において、金庫１１２は、紙幣を収納する収納庫５ａ〜５ｄと、出金又は入金に際して収納庫から又は収納庫へ紙幣を搬送する第1の搬送路２０，２２〜２４と、第1の搬送路を貫通させた第1の開口部１１４と、第1の開口部とは別に設けられた第２の開口部１１４´と、第１の搬送路の搬送路と連結され、第２の開口部を貫通する第２の搬送路２１と、第1の搬送路上に配置された、紙幣の判別のために少なくとも紙幣の金種に関する情報を取得する判別部３と、を有し、かつ第２の搬送路２１を介して判別部３で判別された紙幣を一時的に保持する一時保管部４と、第1の搬送路と連結して、利用者に対する出金又は入金のための紙幣をセットする取引口２を、金庫の外側に配置して構成する。【選択図】図１２
2010282664.tif 000002
【特許請求の範囲】
【請求項１】
紙幣を収納する収納庫と、出金又は入金に際して該収納庫から又は収納庫へ紙幣を搬送する搬送路と、該搬送路を貫通させた第1の開口部とを有する金庫と、
該金庫と別体に構成され、かつ該搬送路を介して該金庫の該収納庫と連結されて、利用者に対する出金又は入金のための紙幣をセットする取引口と、を備えた現金自動取引装置であって、
紙幣の判別を行う判別部を該金庫の内部に備え、該紙幣を一時的に保管する一時保管部を、該搬送路に連結して該金庫の外部に備えることを特徴とする現金自動取引装置。
【請求項２】
紙幣を収納する収納庫と、出金又は入金に際して該収納庫から又は収納庫へ紙幣を搬送する第1の搬送路と、該第1の搬送路を貫通させた第1の開口部と、該第1の開口部とは別に設けられた第２の開口部と、該第１の搬送路と連結され、該第２の開口部を貫通する第２の搬送路と、該第1の搬送路上に配置された、紙幣の判別のために少なくとも紙幣の金種に関する情報を取得する判別部と、を有する金庫と、
該金庫の外側に配置され、かつ該第２の搬送路を介して該判別部で判別された後の該紙幣を一時的に保持する一時保管部と、
該金庫の外側に配置され、かつ該第1の搬送路と連結して、利用者に対する出金又は入金のための紙幣をセットする取引口と、
を有することを特徴とする現金自動取引装置。
【請求項３】
前記一時保管部を複数個配置することを特徴とする請求項１又は２の現金自動取引装置。
【請求項４】
取引に必要な情報を表示するモニタと、取引に必要な情報を入力する利用者操作部と、取引用のカードの挿入や明細票の排出を行う挿入・排出部と、入金又は出金される紙幣をセットする取引口とが少なくとも配置されたフロントパネルを壁面に固定し、
紙幣を収納する収納庫と、出金又は入金に際して該収納庫から又は収納庫へ紙幣を搬送する搬送路とを含む紙幣取扱機構を収納し、開口部より該搬送路を貫通させた金庫を該壁面の内側に配置し、
該搬送路を介して該金庫の該収納庫と連結されて、利用者に対する出金又は入金のための紙幣をセットする、該金庫とは別体に構成された取引口を該壁面に固定してなることを特徴とする現金自動取引装置の設置構造。
【請求項５】
紙幣の判別を行う判別部と、該紙幣を一時的に保管する一時保管部を、該金庫の内部に備えることを特徴とする請求項４の現金自動取引装置の設置構造。
【請求項６】
紙幣の判別を行う判別部を該金庫の内部に備え、該紙幣を一時的に保管する一時保管部を、該搬送路に連結して該金庫の外部に備えることを特徴とする請求項４の現金自動取引装置の設置構造。
【請求項７】
紙幣を収納する収納庫と、出金又は入金に際して該収納庫から又は収納庫へ紙幣を搬送する搬送路とを含む紙幣取扱機構を収納し、開口部より該搬送路を貫通させた金庫と、
該搬送路を介して該金庫の該収納庫と連結されて、利用者に対する出金又は入金のための紙幣をセットする、該金庫とは別体に構成され、壁面に設置される取引口と、を有する現金自動取引装置におけるジャムの除去方法であって、
該搬送路を該取引口から離脱して、該金庫を該壁面から離し、該取引口付近のジャムを除去することを特徴とするジャム除去方法。
【請求項８】
紙幣を収納する収納庫と、出金又は入金に際して該収納庫から又は収納庫へ紙幣を搬送する搬送路とを含む紙幣取扱機構を収納し、開口部より該搬送路を貫通させた金庫と、
該搬送路を介して該金庫の該収納庫と連結されて、利用者に対する出金又は入金のための紙幣をセットする、該紙幣取扱機構と一体的に構成された、壁面に設置される取引口と、を有する現金自動取引装置におけるジャムの除去方法であって、
該搬送路を該取引口から離脱して、該金庫の扉を開放して該紙幣取扱機構を該金庫から取り出し、該該取引口付近のジャムを除去することを特徴とするジャム除去方法。
【請求項９】
該紙幣を一時的に保管する一時保管部を、該搬送路に連結して該金庫の外部に備える現金自動取引装置において、該一時保管部にジャムが発生した場合、該金庫の扉を開放せずに、一時保管部からジャムを除去することを特徴とする請求項７又は８のジャム除去方法。
【請求項１０】
紙幣を収納する収納庫と、出金又は入金に際して該収納庫から又は収納庫へ紙幣を搬送する搬送路とを含む第１の紙幣取扱機構を収納し、開口部より該搬送路を貫通させた金庫と、
該搬送路を介して該金庫の該収納庫と連結されて、利用者に対する出金又は入金のための紙幣をセットする、壁面に設置される取引口と、出金又は入金の取引に必要な情報を表示するモニタ及び利用者によって操作される利用者操作部とを含み該壁面に設置されたフロントパネルと、を有する第１の現金自動取引装置を、
紙幣を収納する収納庫と、出金又は入金に際して該収納庫から又は収納庫へ紙幣を搬送する搬送路とを含む第２の紙幣取扱機構を収納し、開口部より該搬送路を貫通させた金庫と、
該搬送路を介して該金庫の該収納庫と連結されて、利用者に対する出金又は入金のための紙幣をセットする、壁面に設置される取引口と、出金又は入金の取引に必要な情報を表示するモニタ及び利用者によって操作される利用者操作部とを含み該壁面に設置されたフロントパネルと、を有する第２の現金自動取引装置に交換する方法であって、
該取引口及び該フロントパネルを壁面に固定した状態にして、該搬送路を該取引口から離脱して該金庫を離し、
該該金庫の扉を開放して、該金庫内に実装される該第１の紙幣取扱機構を該第２の紙幣取扱機構に交換し、
該金庫の扉を閉じて、該搬送路を該取引口に連結して、第２の現金自動取引装置に交換することを特徴とする交換方法。
【発明の詳細な説明】
【技術分野】
【０００１】
本発明は現金の支払いや預入を行う現金自動取引装置に係り、特に壁面に設置される現
金自動入出金装置（ＡＴＭ）や現金支払機のような現金自動取引装置に関する。
【背景技術】
【０００２】
従来、ＡＴＭは金融機関の店舗内に設置されて来たが、最近では利用者の利便性を考慮
して、通路に面した建物の壁面に設置されることが多くなっている。
【０００３】
いわゆる壁埋め込み型のＡＴＭは、壁面の一部を取り払い、壁の前面には利用者が操作
するフロントパネルを設置し、壁の内側にはＡＴＭの紙幣取扱い関連の機構が入るように
してＡＴＭを配置している。
【０００４】
例えば、特開２００４−１１０２８９号公報（特許文献１）には、紙幣を入出金するた
めの入出金口（上部ユニット３００）を、紙幣を収納する金庫５００よりも前方に突出さ
せる壁埋め込み型の紙幣取扱装置が開示されている。このような構成により、利用者と装
置の本体との間に厚い壁があっても入出金口を利用者から遠くせずに、利用者側へ近づけ
て配置することができ、利用者の操作性を向上させることができる。
【０００５】
また、他の例として、特開平１１−２３２５２７号公報（特許文献２）には、利用者が
紙幣等を取り扱う紙幣放出口２０や封筒投入口２２と、紙幣放出ユニットＢＤＵや封筒型
預金ユニットＥＤＵとの間に、所定の距離だけ離間して紙幣や封筒を搬送する搬送ユニッ
トを配置している壁埋め込み型のＡＴＭが開示されている。
【先行技術文献】
【特許文献】
【０００６】
【特許文献１】特開２００４−１１０２８９号公報
【特許文献２】特開平１１−２３２５２７号公報
【発明の概要】
【発明が解決しようとする課題】
【０００７】
このような壁埋め込み型のＡＴＭの設置に関しては、硬く厚い壁を開口する部分は小さ
くした方が、設置工事のコストを低く抑えることができる。また、防犯上の観点からも壁
面の開口部は小さい方が望ましい。
【０００８】
しかしながら、特開２００４−１１０２８９号公報に開示の紙幣取扱装置では、金庫と
別体に構成された上部ユニット３００全体を前方へ移動させて設置しているので、入出金
口以外に、上部ユニットおよび上部ユニットと金庫の連結ユニット４００もフロントパネ
ル近くとなって前面に出てしまい、壁面の開口部が大きくなってしまうという問題がある
。
【０００９】
また、特開平１１−２３２５２７号公報の例では、利用者が紙幣を取り出す取り出し口
と、紙幣を一枚ずつ分離する分離部を別々に設置し、それらの間を一括して搬送ユニット
で接続している。この例では出金専用のＣＤに適用されているが、このような構成を、入
出金が可能な紙幣取扱装置に適用した場合、次のような問題が起こる。
【００１０】
例えば、入金した紙幣のサイズが同一でなくて入金された紙幣の束の外側にサイズの大
きい紙幣があり、その間にサイズの小さい紙幣が入り込んでいるような場合がある。この
ような場合には、それらの紙幣の束をベルトで一括搬送するときに、ベルトで紙幣を狭持
できるのは外側のサイズが大きい紙幣だけであるために、それらの中に入り込んでいるサ
イズの小さい紙幣が搬送路から落下してしまう。
【００１１】
また、紙幣の一括搬送の手段として、ベルトによる搬送ではなくトレイで搬送する場合
には、大量の枚数の紙幣を一括で搬送する時に、上のほうに積まれた紙幣に対して上面か
らの押さえが無いことから、やはり搬送途中で紙幣が落下してしまう可能性がある。搬送
途中で紙幣が落下して紛失してしまうと、その装置の信頼性が失われるといった問題が生
じる。
【００１２】
さらに、防犯上の観点から紙幣取扱ユニットを金庫の内部に配置した場合には、紙幣の
分離部も金庫内に実装されることになる。そのため分離部で紙幣のジャムが発生した場合
は、ジャムを除去するために金庫を開錠する必要がある。しかし、元々金庫の中には紙幣
収納庫が実装されているため、それを開閉することができるのは金庫の鍵を保有する、定
められた係員だけである。そのため、金庫の扉を容易に開錠できるわけではなく、金庫を
開錠してからジャム除去をするために非常に時間がかかってしまい、結果的にＡＴＭのダ
ウン時間が長くなるという問題もある。
【００１３】
また、利用者が投入した紙幣の枚数や金種を鑑別した後、その取引が確定するまで一時
的に保管する一時保管部を金庫内部に有する場合は、次のような問題がある。即ち、入金
紙幣の状態は利用者に依存することから、紙幣が大きく折れていたり、しわがあったり、
また大きくスキューしている可能性が高く、それらの紙幣を集積する一時保管部でジャム
が発生する可能性が高くなる。一時保管部でジャムが発生した場合は、やはり、金庫を開
閉しなければジャム除去できないことから、ＡＴＭが長時間ダウンすることになる。
【００１４】
また、近年入金機能をもたない出金専用のキャッシュディスペンサー（ＣＤ）から出金
口から紙幣の入金もできる入出金可能なＡＴＭへのリプレースしたいとの要望が多くなっ
てきている。このＣＤの多くは、あらかじめ決められた紙幣を出金するだけであるために
、出金紙幣の金種の判定をする必要がないことから、小型化設計されており、結果的には
紙幣収納部と、紙幣収納部を実装している金庫の利用者側に設けた開口部から出金する搬
送路だけが主要な構成要素なっている。
【００１５】
上記の従来例である上部ユニットを金庫の外側に配置している入出金機能つきの装置を
、金庫やフロントパネルをそのまま使用するという前提で、ＣＤからリプレースしようと
した場合、前述のような入出金口のレイアウトの違いがあるために、容易ではないといっ
た問題がある。
【００１６】
本発明の目的は、壁面に設置することが好適で、設置コストの低減、及び防犯性を向上
させた現金自動取引装置を提供することにある。
本発明の他の目的は、紙幣のジャムが発生した場合でもそのジャムを容易に除去すること
ができる現金自動取引装置を提供することにある。
【課題を解決するための手段】
【００１７】
本発明に係る現金自動取引装置は、紙幣を収納する収納庫と、出金又は入金に際して収納庫から又は収納庫へ紙幣を搬送する搬送路と、搬送路を貫通させた第1の開口部とを有する金庫と、金庫と別体に構成され、かつ搬送路を介して金庫の収納庫と連結されて、利用者に対する出金又は入金のための紙幣をセットする取引口と、を備えた現金自動取引装置であって、紙幣の判別を行う判別部を該金庫の内部に備え、該紙幣を一時的に保管する一時保管部を、該搬送路に連結して該金庫の外部に備える。
【００１８】
本発明に係る現金自動取引装置の好ましい例では、紙幣を収納する収納庫と、出金又は入金に際して収納庫から又は収納庫へ紙幣を搬送する第1の搬送路と、第1の搬送路を貫通させた第1の開口部と、第1の開口部とは別に設けられた第２の開口部と、第１の搬送路と連結され、第２の開口部を貫通する第２の搬送路と、第1の搬送路上に配置された、紙幣の判別のために少なくとも紙幣の金種に関する情報を取得する判別部と、を有する金庫と、金庫の外側に配置され、かつ第２の搬送路を介して判別部で判別された後の紙幣を一時的に保持する一時保管部と、金庫の外側に配置され、かつ第1の搬送路と連結して、利用者に対する出金又は入金のための紙幣をセットする取引口と、を有して構成される。また、一例では、上記一時保管部は複数個配置される。
【００１９】
本発明は、現金自動取引装置の設置構造としても把握される。即ち、取引に必要な情報
を表示するモニタと、取引に必要な情報を入力する利用者操作部と、取引用のカードの挿
入や明細票の排出を行う挿入・排出部と、入金又は出金される紙幣をセットする取引口と
が少なくとも配置されたフロントパネルを壁面に固定し、
紙幣を収納する収納庫と、出金又は入金に際して収納庫から又は収納庫へ紙幣を搬送する
搬送路とを含む紙幣取扱機構を収納し、開口部より搬送路を貫通させた金庫を壁面の内側
に配置し、
搬送路を介して金庫の収納庫と連結されて、利用者に対する出金又は入金のための紙幣を
セットする、金庫とは別体に構成された取引口を壁面に固定してなる現金自動取引装置の
設置構造である。
一例では、現金自動取引装置の設置構造において、紙幣の判別を行う判別部と、紙幣を一
時的に保管する一時保管部を、金庫の内部に備える。
また、他の例では、紙幣の判別を行う判別部を金庫の内部に備え、紙幣を一時的に保管す
る一時保管部を、搬送路に連結して金庫の外部に備える。
【００２０】
本発明はまた、ジャム除去方法としても把握される。即ち、紙幣を収納する収納庫と、
出金又は入金に際して収納庫から又は収納庫へ紙幣を搬送する搬送路とを含む紙幣取扱機
構を収納し、開口部より搬送路を貫通させた金庫と、
搬送路を介して金庫の収納庫と連結されて、利用者に対する出金又は入金のための紙幣を
セットする、金庫とは別体に構成され、壁面に設置される取引口と、を有する現金自動取
引装置におけるジャムの除去方法であって、搬送路を取引口から離脱して、金庫を壁面か
ら離し、取引口付近のジャムを除去するジャム除去方法である。
【００２１】
また、他の例におけるジャムの除去方法では、紙幣を収納する収納庫と、出金又は入金
に際して収納庫から又は収納庫へ紙幣を搬送する搬送路とを含む紙幣取扱機構を収納し、
開口部より搬送路を貫通させた金庫と、
搬送路を介して金庫の収納庫と連結されて、利用者に対する出金又は入金のための紙幣を
セットする、紙幣取扱機構と一体的に構成された、壁面に設置される取引口と、を有する
現金自動取引装置におけるジャムの除去方法であって、搬送路を取引口から離脱して、金
庫の扉を開放して紙幣取扱機構を金庫から取り出し、取引口付近のジャムを除去するジャ
ム除去方法である。
好ましい例では、紙幣を一時的に保管する一時保管部を、搬送路に連結して金庫の外部に
備える現金自動取引装置において、この一時保管部にジャムが発生した場合、金庫の扉を
開放せずに、一時保管部からジャムを除去する。
【００２２】
本発明は、また、現金自動取引装置の交換方法としても把握される。即ち、紙幣を収納
する収納庫と、出金又は入金に際して収納庫から又は収納庫へ紙幣を搬送する搬送路とを
含む第１の紙幣取扱機構を収納し、開口部より搬送路を貫通させた金庫と、
搬送路を介して金庫の収納庫と連結されて、利用者に対する出金又は入金のための紙幣を
セットする、壁面に設置される取引口と、出金又は入金の取引に必要な情報を表示するモ
ニタ及び利用者によって操作される利用者操作部とを含み壁面に設置されたフロントパネ
ルと、を有する第１の現金自動取引装置を、
紙幣を収納する収納庫と、出金又は入金に際して収納庫から又は収納庫へ紙幣を搬送する
搬送路とを含む第２の紙幣取扱機構を収納し、開口部より搬送路を貫通させた金庫と、
搬送路を介して金庫の収納庫と連結されて、利用者に対する出金又は入金のための紙幣を
セットする、壁面に設置される取引口と、出金又は入金の取引に必要な情報を表示するモ
ニタ及び利用者によって操作される利用者操作部とを含み壁面に設置されたフロントパネ
ルと、を有する第２の現金自動取引装置に交換する方法であって、
取引口及びフロントパネルを壁面に固定した状態にして、搬送路を取引口から離脱して金
庫を離し、
金庫の扉を開放して、金庫内に実装される第１の紙幣取扱機構を第２の紙幣取扱機構に交
換し、
金庫の扉を閉じて、搬送路を取引口に連結して、第２の現金自動取引装置に交換する交換
方法である。
【発明の効果】
【００２３】
本発明によれば、壁面に紙幣を入金又は出金するための取引口を設置するための穴部を
形成することにより、容易にＡＴＭを設置できる。壁に形成される穴部をより小さくする
ことができ、ＡＴＭの設置コストの低減でき、防犯性を向上させることができる。
【００２４】
また、紙幣の取引口や一時保管部などのようなジャムが発生しやすい機構部を金庫の外
側に配置する構成としたので、金庫を開放しないでジャムを除去することができる。
【図面の簡単な説明】
【００２５】
【図１】一実施例によるＡＴＭの外観斜視図。
【図２】一実施例によるＡＴＭの制御ブロック図。
【図３】一実施例（第１実施例）における紙幣取扱機構１０１の構成を示す図。
【図４】一実施例における紙幣取扱機構１０１の制御ブロックを示す図。
【図５】一実施例における入金動作を説明するための図。
【図６】一実施例における入金動作を説明するための図。
【図７】一実施例における出金動作を説明するための図。
【図８】一実施例における出金動作を説明するための図。
【図９】一実施例における紙幣取扱機構の構成を示す図。
【図１０】一実施例における紙幣装填の動作を説明する図。
【図１１】一実施例における紙幣回収の動作を説明する図。
【図１２】一実施例（第２実施例）による紙幣取扱機構の構成を示す図。
【図１３】一実施例（第３実施例）による紙幣取扱機構の構成を示す図。
【図１４】一実施例（第４実施例）によるＣＤへ適用した紙幣取扱機構の構成を示す図。
【発明を実施するための形態】
【００２６】
以下、図面を参照して本発明の実施例について詳細に説明する。
図１は一実施例のおけるＡＴＭ１の外観を示す。
ＡＴＭ１は、入出金される紙幣を取扱う紙幣取扱機構１０１、利用者の取引カードや取引
明細票を処理するカード・明細票処理機構１０２、通帳に印字処理する通帳処理機構１０
３、筐体１０４と、取引に必要な情報を入力する利用者操作部１０５、取引に必要な情報
を表示するモニタ１１６、これらの機構部を制御する本体制御部１０６、及び電源部１１
１を備えて構成される。
【００２７】
カード・明細票処理機構１０２に対するカードの挿入や明細票の排出を行う挿入・排出
部１０２´、通帳処理機構１０３に対する通帳挿入・排出部１０３´、利用者操作部１０
５やモニタ１１６、紙幣取扱機構１０１と連結して入出金される紙幣をセットする取引口
２等の、利用者により操作及び確認される部位はフロントパネル１１５に配置されている
。
【００２８】
図２は、ＡＴＭ１の制御関係を示すブロック図である。
カード・明細票処理機構１０２、通帳処理機構１０３、利用者操作部１０５、モニタ１１
６および紙幣取扱機構１０１は、バス１１０を介して本体制御部１０６と接続されており
、本体制御部１０６からの制御指令に従って所要の動作を行う。
【００２９】
バス１１０には、更にインタフェース部１０７、係員操作部１０８、外部記憶部１０９
が接続されており、これらのユニット間で必要なデータのやり取りを行う。なお、これら
のユニットには電源部１１１により電力が供給される。
【００３０】
（第１実施例）
図３はＡＴＭ１に実装される紙幣取扱機構１０１の構成を示す。
紙幣取扱機構１０１は、利用者に対して出金する紙幣を放出セットし及び入金される紙幣
をセットする取引口２と、紙幣Ｂの金種や搬送状態を判別する紙幣判別部３と、入金され
た紙幣Ｂを取引成立までの間一時的に保持する一時保管部４と、取引口２から入金された
紙幣Ｂを収納したり、金種別の紙幣Ｂを収納し、出金取引時に紙幣Ｂを繰り出す収納庫５
ａ〜５ｄと、紙幣判別部３によって金種の読み取りが不可と判定された紙幣Ｂや搬送状態
が搬送不可と判定された紙幣Ｂ等を収納するリジェクト庫７と、及び上記各構成部を連結
して紙幣Ｂを搬送する搬送路２０〜２３を備えて構成される。
【００３１】
紙幣Ｂを保管する収納庫５ａ〜５ｄ、及び搬送路２１〜２３は金庫１１２の内部に収納
される。金庫１１２には開口部１１４が形成され、この開口部１１４を通って搬送路２０
が延伸され、取引口２と連結している。開口部１１４の大きさは搬送路２０が通る最小の
穴径である。
【００３２】
金庫１１２は通常閉鎖されており、特定の係員のみが金庫扉１１３を開錠することがで
きる。そして、必要に応じて、金庫１１２を開けて収納庫５ａ〜５ｄ、リジェクト庫７、
内部の搬送路２１〜２３等で構成される金庫の内部ユニットを引き出して保守を行う。
このように通常の取引時には金庫１１２の扉１１３は千錠され、開口部１１４を通しての
み紙幣の出し入れが行われる。よって、特定者以外による金庫の内部へのアクセスが制限
され、現金保管の安全性が確保される。
【００３３】
一時保管部４は、リール４０、テープ４１、ホイール４２、ローラ４３を備えており、
入金された紙幣であって紙幣判別部３で判別されたものを、テープ４１の間に挟持して一
時的に保管する。
【００３４】
尚、搬送路２０〜２３が分岐する箇所には、夫々切り替えゲート１１が配置される。ま
た図３には示していないが、金種別の収納庫５ａ〜５ｄに各金種の紙幣を装填したり、収
納庫５ａ〜５ｄから各金種紙幣を回収するための装填回収庫６（図４参照）が装填され得
る。図４の例では、取扱われる金種が４種であるので、収納庫５ａ〜５ｄは４つ有してい
るが、収納庫の数は金種に応じて変更できる。
【００３５】
取引口２の内部は、仕切り板１０によって入金紙幣をセットする入金口２ａと出金紙幣
をセットする出金口２ｂとに分かれており、搬送路２０は入金口２ａ及び出金口２ｂと接
続されている。入金口２ａにはセットされた紙幣を１枚ずつ分離して搬送路へ繰り出す分
離機構（図示せず）を有している。
【００３６】
次に、ＡＴＭ１を壁１１７に貫通した状態で設置する例について説明する。
壁１１７の厚さＷｔｈは設置する建物により異なる。壁の厚さＷｔｈが厚いの場合、壁の
内側に設置されるＡＴＭ１の本体と壁前面に設置されるフロントパネル１１５の距離が遠
くなる。しかしその場合には、搬送路２０の長さを延ばすように変えることで取引口２と
連結する。また、壁１１７を貫通する部分は、搬送路２０、搬送路２２及び取引口２だけ
であり、壁１１７の貫通部分の面積が最小限必要な面積となっている。
【００３７】
図４は紙幣取扱機構１０１の制御ブロック図である。
紙幣取扱機構１０１を構成する上記した取引口２、紙幣判別部３、一時保管部４、収納庫
５、装填回収庫６、リジェクト庫７、搬送路２０〜２５の各機構を駆動する駆動制御部、
及び記憶部１２は、制御部１３に接続される。ここで、記憶部１２は、判別した紙幣の金
種及び紙幣サイズとの対応関係等を記憶する。
【００３８】
制御部１３はバス１１０を介して本体制御部１０６と接続され、本体制御部１０６から
の指令および紙幣取扱機構１０１の状態検出に応じて紙幣取扱機構１０１の関連するユニ
ットの制御を行う。また必要に応じて紙幣取扱機構１０１の状態に関する情報を検知、収
集して本体制御部１０６に送る。
【００３９】
次に、図５及び図６を参照して、本実施例の入金動作について説明する。
図５に示すように、利用者によって取引口２の入金口２ａに投入された紙幣Ｂは一枚ずつ
分離されて搬送路２０に繰り出される。搬送路２０に繰り出された紙幣Ｂは、図中の矢印
方向に搬送され、紙幣判別部３で紙幣の金種および枚数の判別が行われる。判別の結果、
正しく判別された紙幣Ｂは一時保管部４に搬送され、そこに一旦保管される。
【００４０】
一方、紙幣判別部３における判別の結果、紙幣の金種や枚数が正しく判別できない場合
、或いは紙幣が大きくスキューしたりシフトした状態であるので、ＡＴＭが取り扱えない
と判断した場合は、それらの紙幣をリジェクト紙幣Ｂとして扱い、切り替えゲート１１を
操作して搬送路２０を逆送して取引口２内の出金口２ｂに返却する。
【００４１】
利用者は、出金口２ｂに返却された紙幣Ｂを取り除くか、再投入するなどの行為をする
。そして出金口２ｂ内に返却された紙幣Ｂが無くなった後、紙幣判別部３により判定され
た金種及び枚数から算出された合計金額金額がモニタ１１６に表示される。
【００４２】
利用者はモニタ１１６の表示内容を確認して、意図した入金金額と同じであった場合に
は利用者操作部１０５を操作してその入金取引を確定する。取引が確定すると、図６に示
すように、一時保管部４に一時的に保管されていた紙幣Ｂは、図中の矢印方向に搬送され
、紙幣判別部３にて金額及び紙幣状態等を再度判別される。判別の結果、金種が判別でき
なかったり、正常に搬送できないと判定された紙幣は、リジェクト紙幣として扱われ搬送
路２２、２３を経由してリジェクト庫７に搬送して収納される。また、正常と判定された
紙幣Ｂは、搬送路２２、２３を経由して金種ごとに収納庫５ａ〜５ｄに収納される。
【００４３】
次に、図７及び図８を参照して、本実施例の出金動作について述べる。
利用者が利用者操作部１０５にて出金額を入力した後、操作の確定を行うと、図７に示す
ように、収納庫５ａ〜５ｄから出金の対象となる紙幣Ｂが搬送路２３に繰り出される。繰
り出された紙幣Ｂは搬送路２２を搬送され、紙幣判別部３で金種および枚数が判別される
。判別の結果、判別不可能と判定された紙幣Ｂは一時保管部４に一時的に保管される。一
方、正常と判定判別された紙幣Ｂは取引口２の出金口２ｂに搬送され、そこに集積される
。利用者は取引口２に集積された紙幣Ｂを取り出す。
【００４４】
利用者によるこの紙幣Ｂの取り出し動作と並行して、一時保管部４に保管されていた紙
幣Ｂは、図８に示すように搬送路２２，２３を経由してリジェクト庫７に搬送され、そこ
に集積される。
【００４５】
次に、図９〜図１１を参照して紙幣の装填及び回収について説明する。
本実施例において、収納庫内の紙幣Ｂが満杯になったり、出金するための枚数が不足した
場合は、該当する収納庫を取り出して紙幣Ｂを装填又は回収する必要がある。またＡＴＭ
１を稼動する前に装置内に紙幣を装填する場合もある。この場合、対象となる収納庫が複
数個存在するので、それぞれの収納庫に対して回収作業を行うことになり、その作業も煩
雑になる。
【００４６】
そこでこの作業性を良くするために、図９に示すように装填回収庫６を金庫１１２内に
実装しておくことが好ましい。即ち装填回収庫６を用いることにより、それぞれの金種に
応じた収納庫５ａ〜５ｄを１つ１つ取り出して紙幣を装填や回収する必要が無くなり、作
業性が向上する。
【００４７】
装填回収庫６は、搬送路２４を通して搬送路２１と結合して実装される。この実装状態
がＡＴＭの通常取引き状態である。
【００４８】
金庫１１２内に実装された状態で、装填回収庫６へ紙幣Ｂを装填する場合、係員は金庫
１１２の扉１１３を開錠して、装填回収庫６を矢印Ｍ方向に引いて金庫１１２から取り出
す。そして係員は、補充したい紙幣Ｂを装填回収庫６に詰め、この装填回収庫６を再度金
庫１１２内に実装する。
【００４９】
また、紙幣Ｂの回収については、装填回収庫６を空もしくは紙幣残量を少なくした状態
でセットし、収納庫５ａ〜５ｄから紙幣を自動的に装填回収庫６に回収する。回収作業は
営業終了後に紙幣取扱機構１０１内の各収納庫５ａ〜５ｄ内の紙幣を回収する場合にも実
施される。
【００５０】
次に図１０を参照して装填回収庫６による装填動作について詳細に説明する。装填動作
ではまず金庫扉１１３を開き装填回収庫６を矢印Ｎ方向に紙幣取扱機構１０１に装着する
。装填後、金庫１１２の扉１１３を閉じると、装填回収庫６から紙幣Ｂが自動的に繰り出
され、矢印に沿って搬送される。即ち、搬送路２４を通って紙幣判別部３を通過する際に
、そこで金種および紙幣状態が判別される。判別の結果、金種や搬送状態が正常と判定さ
れた紙幣Ｂは搬送路２２、２３を経由して各金種に応じた収納庫５ａ〜５ｄに収納される
。上記判別の結果、リジェクト紙幣と判定された紙幣Ｂは装填回収庫６内の装填リジェク
ト庫９に収納される。
【００５１】
次に図１１を参照して、装填回収庫６による回収動作について詳細に説明する。回収動
作では、収納庫５ａ〜５ｄから搬送路２３へ紙幣Ｂを繰り出し、搬送路２２を経由して紙
幣判別部３にて金種および紙幣状態を判別し、搬送路２４を通して装填回収庫６に紙幣Ｂ
を回収する。回収作業が終了すると、係員は金庫１１２の扉１１３を開けて装填回収庫６
を紙幣取扱機構１０１から矢印Ｏ方向に取り外す。これで回収動作を完了する。
【００５２】
以上の説明では、装填回収庫６による紙幣の回収及び装填の動作について述べた。しか
し、他の応用例として、装填回収庫６を利用して各収納庫５ａ、５ｂ、５ｃ、５ｄ内の紙
幣の枚数を計数するために使用することもできる。即ち、装填回収庫６を紙幣取扱機構１
０１に装着したままで、各収納庫５ａ、５ｂ、５ｃ、５ｄから紙幣を順次繰り出して、紙
幣判別部３で通過する紙幣の金種及び枚数を判定することで、紙幣毎の枚数を計数ことが
できる。紙幣判別部３を通過した紙幣Ｂは搬送路２４を通って装填回収庫６に収納される
。
【００５３】
（第２実施例）
次に、図１２を参照して第２の実施例について説明する。この実施例は、一時保管部４を
ユニット化構成して、金庫１１２の外側に配置し、金庫１１２に設けた開口部１１４´に
搬送路２１を通して金庫１１２内の搬送路と連結したものである。一時保管部４の内部構
成及び紙幣の一時保管動作は、例えば図３を参照して前述したものと同様である。また、
金庫１１２内の紙幣取扱機構１０１はじめその他の構成も、前述した例と同様である。
【００５４】
この実施例で特徴的なことは、一時保管部４を金庫１１２の外部に配置することにより
、例えばこの場所でジャムが発生しても金庫１１２の扉１１３を開ける必要が無く、ジャ
ムの除去作業を容易に行えることである。
【００５５】
ここで、一時保管部４の内部構成について説明しておく。一時保管部４は、１本のテー
プ４１を巻取り・巻戻しするリール４０と、リール４０に巻取り・巻戻されるテープ４１
に圧接し回転するローラ４３と、ローラ４３により方向転換されたテープ４１と紙幣Ｂと
を巻取り・巻戻しするホイール４２で構成する。一時保管部４において、紙幣Ｂはテープ
４１とホイール４２の間に巻きつけられて集積される。集積された紙幣Ｂは、リール４０
を回転させてテープ４１をリール４０に巻きつけながらホイール４２から紙幣Ｂをそのま
ま順番で搬送路２１へ繰り出すことで放出される。
【００５６】
このような紙幣の集積、繰り出し動作では、例えば大きくスキューした紙幣を姿勢を直
して又はそのままの姿勢で無理やりに集積するのではなく、スキューしたそのままの状態
で巻き取りを行うことから、スキューなどの搬送状態が異常な状態であっても、集積時の
ジャムが発生しにくい。また、その後の繰り出しにおいても、集積されている紙幣をピッ
クアップローラなどで一枚ずつ繰り出すのではなく、巻き付いている紙幣をそのまま放出
するだけであることから、紙幣に対して余分な力が加わることがなく、その結果繰り出し
作業が容易となってジャムが発生する確率が極めて低くなる。
【００５７】
次に、ジャムの除去作業について簡単に述べる。
利用者から入金される紙幣Ｂにはいろいろな大きさがあり、また、それらが不整列の状態
でセットされたりする。更にしわや折れ曲がりがある紙幣Ｂが入金されたりする。このよ
うな場合、紙幣の集積又は分離する場所でジャムが発生する可能性がある。紙幣の集積や
分離場所としては、取引口２や一時保管庫４が関係する。
【００５８】
例えば一時保管庫４でジャムが発生した場合に、金庫扉１１３を開錠することなく、銀
行の係員により容易にジャムを除去することができる。
また、取引口２でジャムが発生した場合は、金庫１１２の外側で矢印Ａ方向から手を挿入
して取引口２のジャムを除去することができる。
【００５９】
更に、金庫１１２内の搬送路２０〜２４や収納庫５ａ〜５ｄ等でジャムが発生した場合
は、金庫扉１１３を開錠後、金庫の内部のユニットを矢印Ｂ方向に引き出して実施する。
このとき、搬送路２０と取引口２とは線Ｋ−Ｋにて切り離される。
【００６０】
尚、ジャムの発生した場所は、搬送路や紙幣集積部に配置された、紙幣の有無を検知す
るための光学センサからの信号を制御部１３で検知することにより検出される。制御部１
３は紙幣の検知信号の状態が規定時間以上続くことを検出すると、紙幣が滞留している状
態、即ちジャムと判断する。ジャムの発生は、制御部１３から本体制御部１０６へ伝えら
れ、本体制御部１０６は、ジャムの発生と判断したセンサに対応する位置のエラー情報を
監視用のモニタに表示する。これにより係員はジャム発生場所を認識できる。
【００６１】
（第３実施例）
次に、図１３を参照して第３の実施例について説明する。前述した実施例と本実施例との
相違は、前述の実施例で具備していた（第１の点）、取引口２の入金口２ａと出金口２ｂ
とを分離していた仕切り板１０を除去して取引口２を１つの口にしたこと、及び同様の構
成を成す２つの一時保管庫４、４´を設けたこと（第２の点）にある。
【００６２】
第１の点に関して、入金口２ａと出金口２ｂを統合することで、取引口２の最大厚さＯ
ｔｈを金庫の開口部最大厚さＣｔｈよりも更に小さくするように実装する。ここで搬送路
２０は双方向搬送が可能な搬送路である。搬送路２０と取引口２は、図１２で示したよう
に線Ｋ−Ｋで切り離す必要が無く、搬送路２０と取引口２が一体的に固定されている。こ
れら搬送路２０及び取引口２は、紙幣取扱機構１０１と一体であるので、金庫１１２の扉
１１３を開いて矢印Ｂ方向へ全体として引出ることができる。
【００６３】
第２の点に関して、紙幣判別部５における紙幣の判別の結果に応じて一時保管庫４、４
´を切り分けて使用する。
即ち、入金動作において、紙幣判別部５による紙幣の判別の結果に応じて、一時保管庫４
には正常な紙幣Ｂを保管し、一時保管庫４´は金種が読み取れない、スキューやシフトが
大きすぎて装置が取り扱うことができない等と判定したリジェクト紙幣Ｂを保管するよう
に、搬送路２１のゲートを切り替えて制御する。
【００６４】
一時保管部４´に保管されたリジェクト紙幣Ｂは、搬送路２１、２０を経由して取引口
２に返却される。この紙幣Ｂは利用者により再入金されるか、リジェクト紙幣Ｂの入金を
あきらめる。そして取引口２に紙幣がなくなった状態になり、利用者がモニタ１１６に示
される金額を確認して、操作部１０５から入金取引の確定を操作した後に、一時保管庫４
に保管された正常な紙幣Ｂは、搬送路２１、２２、２３を経由してそれぞれの収納庫５ａ
〜５ｄに集積される。
【００６５】
一方、出金動作において、収納庫５ａ〜５ｄから繰り出された紙幣Ｂは、紙幣判別部３
で判別される。判別の結果、出金に適した紙幣Ｂは一時保管部４に保管される。それに対
して、金種が読み取れない等の出金が不適当と判定された紙幣Ｂは一時保管部４´に保管
される。その後、正常な紙幣Ｂは一時保管部４から搬送路２１、２０を経由して取引口２
に搬送して放出される。一方、出金に不適当な紙幣Ｂは一時保管部４´から搬送路２１、
２２、２３を経由してリジェクト庫７に収納される。
【００６６】
第３の実施例において紙幣のジャム除去作業は次のように行われる。
入金取引において、一時保管部４´に保管されたリジェクト紙幣Ｂはその保管集積時にジ
ャムが発生しやすい。しかし、例えジャムが発生したとしても一時保管部４´は金庫１１
２の外側にあるために、金庫１１２の扉１１３を開放することなく、一時保管部４´から
ジャムの紙幣を容易に取り出すことができる。一時保管部４におけるジャムの除去も同様
である。
【００６７】
取引口２でジャムが発生した場合には、取引口２を含めた金庫１１２の内部のユニット
をまとめて矢印Ｂ方向に引き出すことによってジャムを除去することができる。尚、一時
保管部４と一時保管部４´をレールに搭載しておき、これらのユニットを矢印Ｃ方向に引
き出して、矢印Ａ方向から手を入れてジャムを除去してもよい。
【００６８】
（第４実施例）
次に、図１４を参照して、入金機能を持たない出金専用機（キャッシュシディスペンサー
：ＣＤと言う）に適用した例について説明する。上述した例は、何れも入出金機能を持つ
ＡＴＭの例であったが、本発明の趣旨はＣＤにも適用される。
【００６９】
図１４において、金庫１１２に収納される紙幣取扱機構１０１´には、ＣＤの紙幣出金
機能として以下のユニットが実装される。即ち、例えば４金種に対応する４つの収納庫５
ｅ、５ｆ，５ｇ、５ｈと、重複して搬送される紙幣を検知する２枚検知部３１と、出金前
の紙幣を一時保管する集積部３２と、紙幣の搬送路３３と、出金紙幣をセットする出金口
３４を有して構成される。
【００７０】
収納庫５ｅ〜５ｈ、２枚検知部３１、集積部３２等で構成される金庫１１２の内部ユニ
ットと出金口３４は搬送路３３で連結されている。紙幣取扱機構１０１´は、入金機能が
ないので、前述した実施例における紙幣判別部３や一時保管庫４を実装していない。その
ため、装置高さは収納庫が実装される金庫の高さ程度までに低くなっており、搬送路３３
が貫通する金庫開口部１１４は、金庫１１２の利用者側の面に設けることができる。
【００７１】
ＣＤは出金機能のみを持つ自動取引装置であるので、紙幣取扱機構にセットされる紙幣
は、金融機関によって予め精査されたものである。このため、利用者による入金紙幣に比
べて、紙幣の状態や搬送状態が一様で安定している。このため、ジャムが発生する可能性
は非常に低い。しかし、もしＣＤの装置内の集積部３２や搬送路３３、出金部３４でジャ
ムが発生したとしても、それらのジャムの除去は容易に行える。例えば、図１２を参照し
て説明した方法と同様にしてジャムを除去できる。
【００７２】
（第５実施例）
本実施例によれば、図１４のように、既に壁面に設置されているＣＤからＡＴＭへのリプ
レースが容易に行える。以下、その一例について説明する。
【００７３】
出金機能を持つ紙幣取扱機構１０１´から、上述した入出金機能を持つ紙幣取扱機構１
０１を有するＡＴＭへリプレースする場合には、金庫１１２から紙幣取扱機構１０１´を
除去する。その後、紙幣取扱機構１０１を金庫１１２に実装してＡＴＭを構成する。ＡＴ
Ｍ１の構成ユニットのうち紙幣取扱機構１０１´以外の物、例えば金庫１１２やフロント
パネル１１５などはリプレース前に使用していた物を利用する。
【００７４】
以上説明したように、第１の実施例によれば、壁面の貫通部は搬送路２０及び取引口２
であることから、壁面貫通部を小さくすることができ、これによりＡＴＭの設置コストを
低くすることができる。また、壁面貫通部を小さくすることでＡＴＭの防犯性を高めるこ
とができる。さらに、取引口２に入金された紙幣Ｂを一枚ずつ分離する分離部が金庫１１
２の外側にあるので、分離部でジャムが発生しても、金庫１１２を開錠することなくジャ
ムを除去することができ、ＡＴＭのダウン時間を短くすることができる。
【００７５】
また、紙幣判別部を金庫の中に収納することにより、防犯性を一層向上させることがで
きる。例えば、もし紙幣判別部が金庫の外部に在ると、偽札を真券と判定させようとして
、故意に紙幣判別部に使用されているセンサ等が改造される恐れがあるが、紙幣判別部を
金庫内に収納することによりセンサ等の悪意な改造が防止できる。
【００７６】
第２の実施例によれば、一時保管部４を金庫１１２の外側に実装する構成としたので、
入金された紙幣Ｂの状態（折れ、しわなど）や搬送状態（大スキュー、大シフト、種々の
サイズを一括に扱うことによる不整列性など）が原因で一時保管部４でジャムが発生して
も、金庫１１２を開錠してジャム除去する必要がない。これによりＡＴＭのダウン時間を
短くすることができる。
【００７７】
第３の実施例によれば、取引口２とそれにつながる搬送路を一体的に連結した構成とし
た、その連結部でジャムが発生する可能性が極めて低くなる。また、例え取引口２でジャ
ムが発生したとても、取引口２を金庫１１２の内部ユニットとを一緒に、壁の内側で奥行
き方向へ引き出すことが出来るので、安全な状態でジャムの除去ができる。さらに、入金
時のリジェクト紙幣を金庫の外に配置した一時保管部４´に集積するので、やはりジャム
の除去性が良くなる。
【００７８】
第４の実施例によれば、壁面設置型のＣＤにも適用できる。また壁面の貫通部は搬送路
３３及び出金口３４であることから、その貫通部を小さくすることができ、またＣＤの防
犯性を高めることができる。また、取引口である出金口３４付近に発生したジャムに対し
ても、搬送路３３を出金口から分離して、金庫１１２を開錠することなくジャムを除去す
ることができる。
【００７９】
第５の実施例によれば、金庫１１２内の構成をＣＤ３０からＡＴＭ用の紙幣取扱機構１
０１へ交換し、かつ以前から形成された壁の貫通部（ＣＤ用の穴部）を利用することによ
り、ＣＤ３０からのＡＴＭへのリプレースを容易に行うことができる。これによりリプレ
ースのコストも低くなる。
【００８０】
尚、本発明は上記実施例に限定されずに、更に色々と変形、応用して実施し得る。
例えば、実施例１乃至３における紙幣の収納庫５ａ〜５ｄの配列を、図１４に示す収納庫
５ｅ〜５ｈのように上下方向に重ねて配列してもよい。
【００８１】
また、他の代替例として、図１２に示した装填回収庫６を金庫１１２の外部に設置する
ようにしてもよい。それは例えば、図１２の一時保管部４又は図１３の一方の一時保管部
４又は４´を装填回収庫６に置き換えることで説明できる。この場合、装填回収庫６と搬
送路２１とは着脱可能な構造である。金融機関の係員は必要時に装填回収庫６を搬送路２
１に連結することで、紙幣の装填や回収が容易に行える。これによれば金庫１１２の扉１
１３を開錠することなく装填回収作業が行えるので、作業性が向上する。
【００８２】
また上記第５実施例の代替例として、逆にＡＴＭからＣＤへのリプレースも同様にして
容易に行えることが理解されるであろう。
【００８３】
上記実施例は壁面に設置されるＡＴＭの例であるが、本実施例によるジャム除去のため
の構成は壁面設置型のＡＴＭだけではなく、銀行のロビー設置型のＡＴＭにも適用できる
。この種のＡＴＭでは、係員がＡＴＭのフロントパネルを開閉して、断面Ｋ−Ｋ（図１２
）にて取り外された取引口２を矢印Ｓ方向に引き出してジャム除去を行う。
【符号の説明】
【００８４】
１：ＡＴＭ、２：取引口、２ａ：入金口、２ｂ：出金口、３：紙幣判別部、４、４ａ：一
時保管部、５ａ〜５ｄ：収納庫、５ｅ〜５ｈ：収納庫、６：装填回収庫、７：リジェクト
庫、９：装填リジェクト庫、１０：仕切り板、１１：切り替えゲート、１２：記憶部、１
３：制御部、２０〜２５：搬送路、３１：２枚検知部、３２：集積部、３３：一括搬送路
、３４：出金口、４０：リール、４１：テープ、４２：ホイール、４３：ローラ、１０１
：紙幣取扱機構、１０２：カード・明細票処理機構、１０３：通帳処理機構、１０４：筐
体、１０５：利用者操作部、１０６：本体制御部、１０７：インタフェース部、１０８：
係員操作部、１０９：外部記憶部、１１０：バス、１１１：電源部、１１２：金庫、１１
３：金庫扉、１１４：開口部、１１５：フロントパネル、１１６：モニタ、１１７：壁、
Ｏｔｈ：取引口２の最大高さ、Ｃｔｈ：開口部１１４の最大高さ、Ｗｔｈ：壁の厚さ
【図１】
2010282664.tif 000003
【図２】
2010282664.tif 000004
【図３】
2010282664.tif 000005
【図４】
2010282664.tif 000006
【図５】
2010282664.tif 000007
【図６】
2010282664.tif 000008
【図７】
2010282664.tif 000009
【図８】
2010282664.tif 000010
【図９】
2010282664.tif 000011
【図１０】
2010282664.tif 000012
【図１１】
2010282664.tif 000013
【図１２】
2010282664.tif 000014
【図１３】
2010282664.tif 000015
【図１４】
2010282664.tif 000016